(57)【特許請求の範囲】
【請求項１】
大気に含まれる粒子状物質を付着させて捕集する捕集部を有する捕集ユニットと、
前記捕集部を大気中に曝露させる通気部と、前記捕集部を収納する収納部とが一体に設けられた筐体と、
前記筐体内で前記捕集ユニットを移動可能に支持して前記捕集部を前記通気部と前記収納部との間で移動可能にする支持部と、
前記捕集ユニットを移動させて前記捕集部を前記通気部と前記収納部との間で移動させる駆動部と、
前記駆動部の動作を制御する制御部と、を備え、
前記収納部は、収納している前記捕集ユニットに付された指標の位置を外部から確認可能な透過部を有し、
前記捕集ユニットは、複数の前記捕集部を有し、
前記筐体は、前記捕集ユニットが有する複数の前記捕集部のうち一つの前記捕集部が前記通気部に存する場合に他の前記捕集部が前記収納部に位置するよう設けられ、
前記捕集ユニットは、複数の前記捕集部同士の間を区切る区切り部を有し、
前記区切り部に前記指標が付されている
粒子状物質捕集装置。
【請求項２】
前記指標は、前記区切り部に施された着色である
請求項１に記載の粒子状物質捕集装置。
【請求項３】
三以上の前記捕集部同士の間を個別に区切る複数の前記区切り部の各々に施された色はそれぞれ異なる色である
請求項２に記載の粒子状物質捕集装置。
【請求項４】
前記捕集ユニットは、直線状に設けられた複数の前記捕集部を有し、
前記収納部は、前記通気部に移動する前の前記捕集部を収納する曝露前収納部と、前記通気部に移動した後の前記捕集部を収納する曝露後収納部とを備え、
前記曝露前収納部と前記曝露後収納部は、前記通気部を挟む位置関係で、複数の前記捕集部と同一直線上に設けられており、
前記曝露前収納部及び前記曝露後収納部はそれぞれ、少なくとも複数の前記捕集部の数から１を差し引いた数の前記捕集部を収納可能である
請求項１乃至３のいずれか一項に記載の粒子状物質捕集装置。
【請求項５】
前記収納部は、地面に対して立設する所定方向に沿って設けられた筒状の形状を有し、
前記透過部は、前記所定方向に直交する平面に沿った前記収納部の断面において、前記収納部の外周面の複数個所に設けられている
請求項１乃至４のいずれか一項に記載の粒子状物質捕集装置。
【請求項６】
前記通気部には、屋根と、側方に設けられた通気用の開口部とを有する箱体が設けられている
請求項１乃至５のいずれか一項に記載の粒子状物質捕集装置。
【請求項７】
前記箱体は、前記側方にルーバーを有する
請求項６に記載の粒子状物質捕集装置。
【請求項８】
前記捕集部は、弾性体かつ多孔質体である
請求項１乃至７のいずれか一項に記載の粒子状物質捕集装置。
【発明の詳細な説明】
【技術分野】
【０００１】
本発明は、粒子状物質捕集装置に関する。
【背景技術】
【０００２】
大気中に含まれる海塩粒子等の大気浮遊塩分は、金属や合金等（以下、金属等）を含む構造体に付着すると金属等の腐食を引き起こす。このため、大気環境により生じる腐食性を評価するために、構造体に対する大気浮遊塩分の付着度を測定することが行われている。【０００３】
大気浮遊塩分の付着度の測定に用いられる装置として、通気性を有する円筒状の支持体（ガーゼホルダー）に巻き付けられたガーゼを所定期間大気中に曝露させて大気浮遊塩分を捕集する装置がある（例えば、特許文献１）。特許文献１に記載の装置は、百葉箱内に設けられた複数のガーゼのいずれか一つを大気中に曝露させ、他のガーゼにカバーをする機構を備えている。特許文献１に記載の装置は、所定期間毎に曝露させるガーゼを切り替えるようにカバーが動作することで、所定期間を超えるより長期間の測定を保守作業なしで行うことができるよう設けられている。
【先行技術文献】
【特許文献】
【０００４】
【特許文献１】国際公開第２０１４／０４９７１６号
【発明の概要】
【発明が解決しようとする課題】
【０００５】
しかしながら、特許文献１に記載の装置では、どのガーゼにカバーがされているのかを外部から視認することができない。このため、カバーが正しく動作したか否かを確認するためには百葉箱を開けなければならず、装置の動作に係る確認作業が煩雑であった。また、大気中に曝露されるガーゼが設置される場所は、一般的なヒトの身長を超える高所であることが多い。このため、係る場所で確認作業を行うのは極めて煩雑であった。【０００６】
本発明は、上記に鑑みてなされたものであって、大気浮遊塩分等の粒子状物質を捕集する部材の曝露状態と非曝露状態との切り替わりに係る動作の確認をより容易に行うことができる粒子状物質捕集装置を提供することを目的とする。
【課題を解決するための手段】
【０００７】
上述した課題を解決し、目的を達成するために、本発明による粒子状物質捕集装置は、大気に含まれる粒子状物質を付着させて捕集する捕集部を有する捕集ユニットと、前記捕集部を大気中に曝露させる通気部と、前記捕集部を収納する収納部とが一体に設けられた筐体と、前記筐体内で前記捕集ユニットを移動可能に支持して前記捕集部を前記通気部と前記収納部との間で移動可能にする支持部と、前記捕集ユニットを移動させて前記捕集部を前記通気部と前記収納部との間で移動させる駆動部と、前記駆動部の動作を制御する制御部と、を備え、捕集ユニットは、少なくとも一部に指標が付され、前記収納部は、収納している前記捕集ユニットに付された前記指標の位置を外部から確認可能な透過部を有することを特徴とする。【０００８】
本発明において、前記捕集ユニットは、複数の前記捕集部を有し、前記筐体は、前記捕集ユニットが有する複数の前記捕集部のうち一つの前記捕集部が前記通気部に存する場合に他の前記捕集部が前記収納部に位置するよう設けられてもよい。【０００９】
本発明において、前記捕集ユニットは、複数の前記捕集部同士の間を区切る区切り部を有し、前記区切り部に前記指標が付されていてもよい。【００１０】
本発明において、前記指標は、前記区切り部に施された着色であってもよい。【００１１】
本発明において、三以上の前記捕集部同士の間を個別に区切る複数の前記区切り部の各々に施された色はそれぞれ異なる色であってもよい。【００１２】
本発明において、前記捕集ユニットは、直線状に設けられた複数の前記捕集部を有し、前記収納部は、前記通気部に移動する前の前記捕集部を収納する曝露前収納部と、前記通気部に移動した後の前記捕集部を収納する曝露後収納部とを備え、前記曝露前収納部と前記曝露後収納部とは前記直線と同一直線上に設けられており、前記曝露前収納部及び前記曝露後収納部はそれぞれ、少なくとも複数の前記捕集部の数から１を差し引いた数の前記捕集部を収納可能であってもよい。【００１３】
本発明において、前記収納部は、地面に対して立設する所定方向に沿って設けられた筒状の形状を有し、前記透過部は、前記所定方向に直交する平面に沿った前記収納部の断面において、前記収納部の外周面の複数個所に設けられていてもよい。【００１４】
本発明において、前記通気部には、屋根と、側方に設けられた通気用の開口部とを有する箱体が設けられていてもよい。【００１５】
本発明において、前記箱体は、前記側方にルーバーを有してもよい。【００１６】
本発明において、前記捕集部は、弾性体かつ多孔質体であってもよい。
【発明の効果】
【００１７】
本発明に係る粒子状物質捕集装置は、大気浮遊塩分等の粒子状物質を捕集する部材の曝露状態と非曝露状態との切り替わりに係る動作の確認をより容易に行うことができるという効果を奏する。
【図面の簡単な説明】
【００１８】
【図１】図１は、本発明に係る粒子状物質捕集装置の実施形態１を示す図である。
【図２】図２は、図１に示す粒子状物質捕集装置の断面図である。
【図３】図３は、ガーゼが巻きつけられていない支持体の一例を示す斜視図である。
【図４】図４は、ガーゼが巻き付けられた支持体の一例を示す斜視図である。
【図５】図５は、捕集ユニットが有する捕集部と収納部との位置関係の一例を示す図である。
【図６】図６は、捕集ユニットが有する捕集部と収納部との位置関係の一例を示す図である。
【図７】図７は、捕集ユニットが有する捕集部と収納部との位置関係の一例を示す図である。
【図８】図８は、透過部から確認することができる指標の一例を示す図である。
【図９】図９は、透過部から確認することができる指標の一例を示す図である。
【図１０】図１０は、透過部から確認することができる指標の一例を示す図である。
【図１１】図１１は、収納部の断面の一例を示す図である。
【図１２】図１２は、粒子状物質捕集装置が取り付けられた柱状の建造物の一例を示す図である。
【図１３】図１３は、実施形態２の捕集部の一例を示す斜視図である。
【発明を実施するための形態】
【００１９】
以下に、本発明に係る粒子状物質捕集装置の実施形態を図面に基づいて詳細に説明する。なお、この実施形態によりこの発明が限定されるものではない。
【００２０】
（実施形態１）
図１は、本発明に係る粒子状物質捕集装置の実施形態１（粒子状物質捕集装置１）を示す図である。図２は、図１に示す粒子状物質捕集装置１の断面図である。粒子状物質捕集装置１は、捕集ユニット１０と、筐体２０と、駆動部５０と、制御部６０と、を備える。
【００２１】
図３は、ガーゼ１１２が巻きつけられていない支持体１１１の一例を示す斜視図である。図４は、ガーゼ１１２が巻き付けられた支持体１１１の一例を示す斜視図である。捕集ユニット１０は、大気に含まれる粒子状物質を付着させて捕集する捕集部１１を有する。具体的には、捕集ユニット１０は、例えば、通気性を有する円筒状の支持体１１１と、当該支持体１１１の円筒状の外周部に巻き付けられたガーゼ１１２とにより構成された捕集部１１が設けられている。支持体１１１の円筒状の外周部は、例えば網目状の隙間を有する等、巻き付けられたガーゼ１１２の通気性を確保可能に設けられている。支持体１１１の円筒状の外周部にはガーゼ１１２が巻きつけられ、さらにガーゼ１１２の外側から糸等の固定部材（図示略）により緊縛されている。固定部材は、ガーゼ１１２を支持体１１１に固定する。固定部材は、ガーゼ１１２を支持体１１１に固定することができる部材であればよく、例えば輪ゴム等であってもよい。支持体１１１に巻き付けられたガーゼ１１２は、大気中に曝露された状態である場合に、大気に含まれる粒子状物質（例えば、海塩粒子等の大気浮遊塩分）を付着させて捕集する。
【００２２】
実施形態１の支持体１１１は、一直線状に複数設けられている。具体的には、複数の支持体１１１は、地面に対して立設する所定方向（例えば鉛直方向）に沿って一直線状に設けられている。支持体１１１は、その形状である円筒の中心軸方向が所定方向に沿うよう設けられている。このように、実施形態１の捕集ユニット１０は、一直線状に設けられた複数の捕集部１１を有する。実施形態１に係る説明では、図１等に示すように一直線状に設けられた三つの捕集部１１について、より上に存する捕集部１１から順に、捕集部１１ａ，１１ｂ，１１ｃと個別の符号を付して説明する場合がある。これらの捕集部１１ａ，１１ｂ，１１ｃを区別する必要がない場合、捕集部１１と記載する。
【００２３】
実施形態１の捕集ユニット１０は、複数の捕集部１１同士の間を区切る区切り部１２，１３を有する。具体的には、捕集ユニット１０は、例えば、複数の捕集部１１間に設けられた円盤状の区切り部１２，１３を有する。区切り部１２，１３の径は、ガーゼ１１２が巻き付けられた捕集部１１の外径よりも大きいことが望ましい。また、区切り部１２，１３と同様の構成を、一直線状に設けられた複数の捕集部１１の両端側に設けてもよい。以下、両端側に設けられた区切り部１２，１３と同様の構成を、末端部１４，１５と記載することがある。実施形態１の捕集ユニット１０は、図２に示すように、所定方向に沿って設けられた三つの捕集部１１と、三つの捕集部１１の間に設けられた二つの区切り部１２，１３と、所定方向に沿う三つの捕集部１１の両端に設けられた二つの末端部１４，１５とを有する。実施形態１の捕集ユニット１０は、これらの捕集部１１、区切り部１２，１３及び末端部１４，１５が一本のシャフト１６によって連結された構造体である。シャフト１６は、これらの断面形状である円の中心を通すよう設けられている。以下、二つの区切り部１２，１３及び二つの末端部１４，１５を区別するため、図２に記載された捕集ユニット１０においてより上側に位置する構成から順に、上の末端部１４、上の区切り部１２、下の区切り部１３、下の末端部１５と記載することがある。これらの区別が必要ない場合、単に区切り部１２，１３、末端部１４，１５と記載することがある。
【００２４】
区切り部１２，１３及び末端部１４，１５のうち捕集部１１の下側に位置するものは、上側から落下したものを貯留可能な形状、例えば器状又は皿状の形状を有していてもよい。この場合、区切り部１２，１３の直上に存する捕集部１１から落下した塩分の結晶等を区切り部１２，１３に貯留することができ、捕集部１１により捕集された物質をより高精度に各捕集部１１単位で取り扱うことができる。
【００２５】
捕集ユニット１０は、少なくとも一部に指標が付されている。具体的には、例えば、円盤状の区切り部１２，１３及び末端部１４，１５の側部及び下面部には、指標となる着色が施されており、区切り部１２，１３及び末端部１４，１５の各々に施された色はそれぞれ異なる色である。より具体的には、例えば、上の末端部１４、上の区切り部１２、下の区切り部１３、下の末端部１５はそれぞれ、緑色、黄色、赤色、青色に着色されている。このように、実施形態１では、区切り部１２，１３に指標として機能する着色が施されている。また、三以上の捕集部１１同士の間を個別に区切る複数の区切り部１２，１３の各々に施された色はそれぞれ異なる色である。なお、上記にて説明した上の末端部１４、上の区切り部１２、下の区切り部１３、下の末端部１５の色はあくまで一例であり、適宜別の色を採用可能である。
【００２６】
筐体２０は、捕集部１１を大気中に曝露させる通気部と、捕集部１１を収納する収納部４１，４２とを有する。筐体２０は、通気部と収納部４１，４２とが一体に設けられている。具体的には、例えば、通気部には、屋根３１と、側方に設けられた通気用の開口部３２とを有する箱体３０が設けられている。具体的には、実施形態１の箱体３０は、側方にルーバーを有する。より具体的には、例えば、直方体状の箱体３０の四つの側面部はそれぞれ、複数の羽板３３が上下方向に間隔をあけて互いに平行になるように設けられている。羽板３３同士の間の隙間である開口部３２が設けられていることで、箱体３０は、その内部に箱体３０外の大気（風）を通過させることができるように設けられている。羽板３３は、箱体３０の内側から外側に向かって下方に傾斜するよう設けられている。これにより、雨等の降下物が開口部３２から箱体３０の内側に入り込むことを抑制することができる。
【００２７】
図５乃至図７は、捕集ユニット１０が有する捕集部１１と収納部４１，４２との位置関係の一例を示す図である。図５乃至図７では、箱体３０の内容積を破線で示している。収納部４１，４２は、当該箱体３０の上下から所定方向に沿って延出している。実施形態１の収納部４１，４２は、通気部に移動する前の捕集部１１を収納する曝露前収納部４１と、通気部に移動した後の捕集部１１を収納する曝露後収納部４２とを備える。実施形態１では、曝露前収納部４１が箱体３０の下方に延出し、曝露後収納部４２が箱体３０の上方に延出している。曝露前収納部４１及び曝露後収納部４２はそれぞれ、二つ分の捕集部１１及びこれらの捕集部１１の上下に設けられている区切り部１２，１３及び末端部１４，１５を収納可能に設けられている。以下、曝露前収納部４１と曝露後収納部４２とを区別する必要がない場合、単に収納部４１，４２と記載することがある。
【００２８】
図５に示すように、所定方向に沿って設けられた捕集部１１のうち一番上に存する捕集部１１ａが通気部に存する場合、当該捕集部１１は箱体３０内で大気中に曝露される。この場合、当該捕集部１１を除く他の捕集部１１は、曝露前収納部４１に収納される。また、図６に示すように、所定方向に沿って設けられた捕集部１１のうち上から二番目に存する捕集部１１ｂが通気部に存する場合、当該捕集部１１は箱体３０内で大気中に曝露される。この場合、一番上の捕集部１１ａは、曝露後収納部４２に収納される。また、この場合、一番下の捕集部１１ｃは、曝露前収納部４１に収納される。また、図７に示すように、所定方向に沿って設けられた捕集部１１のうち一番下に存する捕集部１１ｃが通気部に存する場合、当該捕集部１１は箱体３０内で大気中に曝露される。この場合、当該捕集部１１を除く他の捕集部１１は、曝露後収納部４２に収納される。すなわち、実施形態１では、所定方向に沿って設けられた捕集部１１のうち、より上に存する捕集部１１がより先に大気中に曝露され、所定期間（例えば、３０日）毎に捕集ユニット１０が上方に移動して大気中に曝露される捕集部１１が切り替わるようになっている。このように、筐体２０は、捕集ユニット１０が有する複数の捕集部１１のうち一つの捕集部１１が通気部に存する場合に他の捕集部１１が収納部４１，４２に位置するよう設けられる。
【００２９】
上記のように、実施形態１の曝露前収納部４１及び曝露後収納部４２はそれぞれ、複数の捕集部１１の数から１を差し引いた数の捕集部１１を収納可能である。無論、曝露前収納部４１及び曝露後収納部４２の少なくともいずれか一方は、より多くの捕集部１１、すなわち、全ての捕集部１１を収納可能であってもよい。曝露前収納部４１が全ての捕集部１１を収納可能である場合、粒子状物質の捕集を開始する所定の開始タイミングまで全ての捕集部１１を曝露前収納部４１に収納可能である。また、曝露後収納部４２が全ての捕集部１１を収納可能である場合、粒子状物質の捕集を終了した終了タイミング後、作業者が捕集ユニット１０のガーゼ１１２等を回収するときまで全ての捕集部１１を曝露後収納部４２に収納可能である。
【００３０】
実施形態１の筐体２０は、筐体２０内で捕集ユニット１０を移動可能に支持して捕集部１１を通気部と収納部４１，４２との間で移動可能にする支持部としての機能を有する。具体的には、例えば、収納部４１，４２は、円筒状の内径を有する筒状の部材である。曝露前収納部４１と曝露後収納部４２の中心軸及び捕集ユニット１０の中心軸は、同一直線上に存する。すなわち、曝露前収納部４１と曝露後収納部４２とは、通気部を挟む位置関係で、複数の捕集部１１と同一直線上に設けられている。言い換えれば、実施形態１における通気部は、箱体３０の内側であって、曝露前収納部４１と曝露後収納部４２との間に存する領域である。曝露前収納部４１の下端は、底板４３により塞がれている。曝露後収納部４２の上端は、駆動部５０及び天井板４４により塞がれている。底板４３と天井板４４とは、縁部が複数本（例えば、三本）のシャフト４８により接続されていてもよい（図１１参照）。収納部４１，４２の内径は、区切り部１２，１３及び末端部１４，１５の径よりもわずかに大きい。収納部４１，４２の内周面と区切り部１２，１３及び末端部１４，１５の外縁との間のクリアランスは、収納部４１，４２に沿って捕集ユニット１０が上下動するのを妨げず、かつ、収納部４１，４２内で捕集ユニット１０が所定方向以外の方向に不要に傾かないよう、予め定められた大きさとなっている。なお、収納部４１，４２の内周部と、区切り部１２，１３及び末端部１４，１５とは、捕集ユニット１０の移動を妨げない程度に摺接してもよい。区切り部１２，１３及び末端部１４，１５が、実質的に収納部１１の蓋として機能するようにしてもよい。また、実施形態１では、一つの捕集部１１が通気部に存する場合、当該捕集部１１の直上に位置する区切り部１２，１３又は末端部１４，１５が曝露後収納部４２に収納され、かつ、当該捕集部１１の直下に位置する区切り部１２，１３又は末端部１４，１５が曝露前収納部４１に収納される状態になる。言い換えれば、曝露前収納部４１と曝露後収納部４２との所定方向に沿う間隔の大きさと、捕集部１１の所定方向に沿う幅との関係は、係る状態が実現されるように設定されている。すなわち、図５に示すように、上の末端部１４は、必ず曝露後収納部４２に存する。このため、捕集ユニット１０は、上方に移動する場合に少なくとも上の末端部１４が曝露後収納部４２にガイドされる状態となる。また、図７に示すように、一番下の捕集部１１ｃが通気部に存する状態でも下の末端部１５は曝露前収納部４１内に存するため、捕集ユニット１０は、上方に移動する場合に少なくとも下の末端部１５が曝露前収納部４１にガイドされる状態となる。このように、捕集ユニット１０は、大気中に曝露される捕集部１１の切り替わりに際して上方に移動する場合、少なくとも上下端が収納部４１，４２にガイドされる状態になる。係る構造を有する収納部４１，４２は、収納部４１，４２が設けられた直線上から捕集ユニット１０が逸脱することを抑止し、筐体２０内で捕集ユニット１０を移動可能に支持して捕集部１１を通気部と収納部４１，４２との間で移動可能にする支持部として機能する。
【００３１】
上記のように、実施形態１の筐体２０は、筐体２０内で捕集ユニット１０を移動可能に支持して捕集部１１を通気部と収納部４１，４２との間で移動可能にする支持部としての機能を有するが、これは筐体２０及び支持部の形態の一例であってこれに限られるものでなく、適宜変更可能である。例えば、ガイドレール等のガイド部材を収納部４１，４２の延出方向に沿って収納部４１，４２内に設けるようにしてもよい。この場合、捕集ユニット１０は、当該ガイド部材により移動可能に支持される。より具体的には、例えば捕集ユニット１０の上下端には当該ガイド部材に沿って移動可能な状態で当該ガイド部材と連結された連結部が設けられる、等である。
【００３２】
駆動部５０は、捕集ユニット１０を移動させて捕集部１１を通気部と収納部４１，４２との間で移動させる。具体的には、駆動部５０は、例えばステッピングモータ等の電動機５１を有し、制御部６０の制御下で回転動作する。電動機５１の回転子は、例えば、駆動部５０と捕集ユニット１０とを連結する連結部５２（例えば、糸等）を巻き上げる巻き上げ機構５３と連結される。巻き上げ機構５３は、電動機５１の回転に応じて糸を巻き上げる。当該糸の下端は、捕集ユニット１０の上端に接続されている。このため、駆動部５０が動作して電動機５１が回転すると、糸が巻き上げられて捕集ユニット１０が上方に引っ張り上げられて移動する。このようにして、捕集ユニット１０は、駆動部５０の動作に応じて上方に移動する。無論、このような捕集ユニット１０の移動に係る具体的構成はあくまで一例であってこれに限られるものでなく、適宜変更可能である。例えば、上記ガイド部材を電動式のリニアレールとし、支持部と駆動部５０とを一体的に設けるようにしてもよい。
【００３３】
制御部６０は、駆動部５０の動作を制御する。具体的には、制御部６０は、所定期間毎に駆動部５０を動作させる制御回路を有する。制御部６０と駆動部５０とは、導電部６１（例えば、電線等）を介して電気的に接続されている。より具体的には、制御部６０は、駆動部５０の具体的構成（例えば、ステッピングモータ）に応じた制御回路（例えば、ドライバＩＣ等）を有する。当該制御回路には、所定期間毎に大気中に曝露される捕集部１１が切り替わるように、捕集部１１を切り替えるための捕集ユニット１０の上昇量に応じた動作量（例えば、ステッピングモータの回転数及び回転角度）だけ動作させるプログラミングが施されている。捕集部１１を切り替えるための捕集ユニット１０の上昇量に応じた動作量とは、例えば、捕集ユニット１０を一つの捕集部１１の所定方向の幅と捕集部１１同士の間隔の大きさ一つ分とを加算した分だけ上方に引き上げる動作量である。実施形態１は、捕集部１１同士の間隔が一定であるので、係る動作量も一定であるが、これに限られるものでなく、適宜変更可能である。
【００３４】
図８乃至図１０は、透過部から確認することができる指標の一例を示す図である。図８乃至図１０では、箱体３０の概略的な外形を破線で示している。収納部４１，４２は、収納している捕集ユニット１０に付された指標の位置を外部から確認可能な透過部を有する。具体的には、収納部４１，４２は、例えば図１、図８乃至図１０に示すように、収納部４１，４２の延出方向に沿って設けられた透明な窓部４５ａ，４５ｂを有する。窓部４５ａ，４５ｂは、収納部４１，４２内に収納されている捕集ユニット１０の指標を確認可能な位置に設けられた透明な部材であり、光を透過させる。より具体的には、窓部４５ａ，４５ｂは、例えば図１に示すように、収納部４１，４２のうち、箱体３０から延出された部分に設けられる。窓部４５ａ，４５ｂは、曝露前収納部４１及び曝露後収納部４２の各々に個別に設けられる。窓部４５ａは、曝露前収納部４１に設けられた透過部として機能する。窓部４５ｂは、曝露後収納部４２に設けられた透過部として機能する。
【００３５】
図８に示すように、所定方向に沿って設けられた捕集部１１のうち一番上に存する捕集部１１ａが通気部に存する場合、曝露前収納部４１の窓部４５ａから下の末端部１５の指標（青色）及び下の区切り部１３の指標（赤色）が外部から視認可能な状態になる。また、図９に示すように、所定方向に沿って設けられた捕集部１１のうち上から二番目に存する捕集部１１ｂが通気部に存する場合、曝露前収納部４１の窓部４５ａから下の末端部１５の指標（青色）が外部から視認可能な状態になる。また、この場合、曝露後収納部４２の窓部４５ｂから上の末端部１４の指標（緑色）が外部から視認可能な状態になる。また、この場合、区切り部１２，１３は、指標（黄色、赤色）が窓部４５ａ，４５ｂから視認できない位置に存するため、窓部４５ａ，４５ｂから視認できない状態になる。また、図１０に示すように、所定方向に沿って設けられた捕集部１１のうち一番下に存する捕集部１１ｃが通気部に存する場合、曝露後収納部４２の窓部４５ｂから上の末端部１４の指標（緑色）及び上の区切り部１２の指標（黄色）が外部から視認可能な状態になる。このように、通気部に存する捕集部１１の切り替わりに応じて、透過部（例えば、窓部４５ａ，４５ｂ）を介して確認することができる指標の位置及び組み合わせが変化する。よって、作業者は、筐体２０を開けることなく、大気浮遊塩分等の粒子状物質を捕集する部材（例えば、捕集部１１のガーゼ１１２）の曝露状態と非曝露状態との切り替わりに係る動作の確認をより容易に行うことができる。
【００３６】
図１１は、収納部４１，４２の断面の一例を示す図である。図１１に示すように、窓部４５ａ，４５ｂは、円筒状の収納部４１，４２の３箇所に設けられている。３箇所の窓部４５ａ，４５ｂは、収納部４１，４２の円筒中心を１２０°に等分するよう配置されている。このように、実施形態１の透過部として機能する窓部４５ａ，４５ｂは、収納部４１，４２が延出する方向である所定方向に直交する平面に沿った収納部４１，４２の断面において、収納部４１，４２の外周面の複数個所に設けられている。透過部を係る配置にすることで、粒子状物質捕集装置１を周囲のどの角度から見ても、いずれかの透過部を介して指標を確認することができる。無論、図１１に示す例は、あくまで透過部の形態の一例であってこれに限られるものでない。例えば、筒状の収納部４１，４２全体を透過部とし、透明な部材で構成するようにしてもよい。
【００３７】
また、実施形態１では、収納部４１，４２は、透過部として機能する窓部４５ａ，４５ｂを含む全体が樹脂製であるが、他の材料であってもよい。例えば、透過部はガラス製であってもよい。また、箱体３０は、例えば木製であるが、他の材料（例えば、樹脂等）により構成されていてもよい。
【００３８】
図１２は、粒子状物質捕集装置１が取り付けられた柱状の建造物７０の一例を示す図である。粒子状物質捕集装置１は、外側から内側に捕集部１１を導入することができるとともに、内側で保持されていた捕集部１１を取り出すことができるよう設けられていることが望ましい。実施形態１では、箱体３０の四つの側面部のうち一つが鎧戸となっていて開閉可能に設けられている。鎧戸は、太陽の日周運動において地平線より上側で子午線を通る方角（例えば北半球の場合、南側）の逆側（例えば北半球の場合、北側）に設けられることが望ましい。また、図１２に示す例において、鎧戸を柱状の建造物７０（例えば、電柱等）にすることで、柱状の建造物７０を登って捕集部１１の設置及び回収を行う作業者がより作業をしやすくなる。
【００３９】
なお、指標を確認する作業者は、図１２に示すような粒子状物質捕集装置１の近傍まで近づいて直接透過部を視認するようにしてもよいが、より遠方から双眼鏡等の器械又は同様の拡大機能を有する機械等を用いて透過部を視認するようにしてもよい。このような遠隔からの確認時に、指標が色であることで、より容易に指標を確認することができる。
【００４０】
以上、実施形態１によれば、捕集ユニット１０の少なくとも一部に指標が付され、収納部４１，４２が収納している捕集ユニット１０に付された指標の位置を外部から確認可能な透過部を有する。このため、透過部から指標の位置を確認することで、筐体２０内における捕集部１１の位置を確認することができる。よって、大気浮遊塩分等の粒子状物質を捕集する部材（例えば、捕集部１１のガーゼ１１２）の曝露状態と非曝露状態との切り替わりに係る動作の確認をより容易に行うことができる。
【００４１】
また、捕集ユニット１０が複数の捕集部１１を有し、捕集ユニット１０が有する複数の捕集部１１のうち一つの捕集部１１が通気部に存する場合に他の捕集部１１が収納部４１，４２に位置するよう筐体２０が設けられることで、通気部で大気中に曝露される捕集部１１を一つに限定しつつ、他の捕集部１１を保存することができる。
【００４２】
また、捕集ユニット１０が複数の捕集部１１同士の間を区切る区切り部１２，１３を有し、区切り部１２，１３に指標が付されていることで、粒子状物質の捕集が繰り返し行われる場合等、捕集ユニット１０の捕集部１１が交換されて再利用される場合に、より容易に指標を再利用することができる。
【００４３】
また、指標が区切り部１２，１３に施された着色であることで、より遠方からの指標の視認性を容易に確保することができる。
【００４４】
また、三以上の捕集部１１同士の間を個別に区切る複数の区切り部１２，１３の各々に施された色がそれぞれ異なる色であることで、透過部から確認することができる指標の色及び位置に基づいて、粒子状物質を捕集する部材の曝露状態と非曝露状態との切り替わりに係る動作の確認をより容易に行うことができる。
【００４５】
また、収納部４１，４２が通気部に移動する前の捕集部１１を収納する曝露前収納部４１と、通気部に移動した後の捕集部１１を収納する曝露後収納部４２とを備えることで、三以上の捕集部１１が切り替わる場合において、大気中に曝露される前の捕集部１１と大気中に曝露された後の捕集部１１とを個別に収納することができ、それぞれの捕集部１１をより適当な条件下で保存することができる。
【００４６】
また、透過部が所定方向に直交する平面に沿った収納部４１，４２の断面において、収納部４１，４２の外周面の複数個所に設けられていることで、指標を確認するための視認に係る条件がより緩和される。よって、指標をより確認しやすくなる。
【００４７】
また、通気部に、屋根３１と、側方に設けられた通気用の開口部３２とを有する箱体３０が設けられていることで、粒子状物質捕集装置１の上方からの落下物（例えば、雨等）から捕集部１１を保護することができる。
【００４８】
また、箱体３０が側方にルーバーを有することで、雨等が開口部３２から箱体３０内に入り込むことを抑制することができる。よって、より確実に捕集部１１を保護することができる。
【００４９】
（実施形態２）
次に、本発明に係る粒子状物質捕集装置１の実施形態２について説明する。実施形態２は、捕集部１１の具体的形態を除いて、実施形態１と同様である。よって、以下では捕集部１１の構成に関する説明のみ行い、他の構成に関する説明を省略する。
【００５０】
図１３は、実施形態２の捕集部１１の一例を示す斜視図である。実施形態２における捕集部１１として機能する、大気に含まれる粒子状物質を付着させて捕集する部材（例えば、筒状の部材１１Ａ）は、弾性体かつ多孔質体である。具体的には、実施形態２の捕集ユニット１０が有する捕集部１１は、筒状の部材１１Ａである。筒状の部材１１Ａは、円筒状に設けられたスポンジである。弾性体であるスポンジは、支持体１１１を要せず単体で円筒状の形状を保持することができる。より具体的には、実施形態２において捕集部１１を構成するスポンジは、例えばポリウレタン等の合成樹脂が発泡形成された所謂合成スポンジである。スポンジは、多孔質体であり、通気性及び吸湿性を示す。スポンジの目の細かさ（発泡形成時における発泡の度合い）は、捕集の対象となる粒子状物質（例えば、海塩粒子等の大気浮遊塩分）の大きさに応じたものであることが望ましい。筒状の部材１１Ａとして形成されたスポンジは、捕集ユニット１０のシャフト１６と係合するための孔が設けられた端部１１３を有していてもよいし、筒状の部材１１Ａの内径がシャフト１６に応じた径であってもよい。実施形態２では、係る筒状の部材１１Ａが捕集部１１として複数設けられる。なお、実施形態２の捕集ユニット１０は、捕集部１１が筒状の部材１１Ａである点を除いて実施形態１と同様である。具体的には、捕集部１１として機能するこれらの筒状の部材１１Ａ同士の間に区切り部１２，１３が設けられる。また、実施形態２における捕集部１１と末端部１４，１５との位置関係も、実施形態１と同様である。
【００５１】
以上、実施形態２によれば、捕集部１１が弾性体かつ多孔質体である。このため、支持体１１１を省略することができる。よって、支持体１１１にガーゼ１１２を巻き付ける等の作業を省略することができ、より簡便に捕集部１１の設置等を行うことができる。また、支持体１１１に比してスポンジは安価であることから、より低コストで粒子状物質を捕集することができる。また、回収後のスポンジを洗浄することで、当該スポンジを捕集部１１として再利用することができる。
【００５２】
以上、実施形態１，２について説明したが、これらの実施形態等の内容によりこれらの実施形態等が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態等の要旨を逸脱しない範囲で構成要素の種々の省略、置換又は変更を行うことができる。
【００５３】
例えば、捕集部１１は、海塩粒子等の大気浮遊塩分に限らず、大気中に存する他の粒子状物質を捕集することもできる。
【００５４】
また、指標は、区切り部１２，１３等の色に限らない。例えば、捕集部１１の各々の色が異なっていてもよい。具体的には、上記の実施形態１におけるガーゼ１１２の色がそれぞれ異なっていてもよいし、スポンジの外周面の色がそれぞれ異なっていてもよい。また、指標は色に限らない。例えば、区切り部１２，１３及び末端部１４，１５の側面部等に、それぞれ異なる数字等が記載されていてもよい。この場合、透過部から確認することができる数字によって、その時点で大気中に曝露されている捕集部１１がいずれの捕集部１１であるか確認することができる。また、番号は、ガーゼ１１２又はスポンジに付されていてもよい。
【００５５】
また、区切り部１２，１３及び末端部１４，１５の側面部等に、それぞれ発光色が異なる発光部（例えば、発光ダイオード等）が設けられていてもよい。この場合、透過部から確認することができる光の色によって、その時点で大気中に曝露されている捕集部１１がいずれの捕集部１１であるか確認することができる。また、区切り部１２，１３及び末端部１４，１５の側面部等に設けられた発光部の数がそれぞれ異なってもよい。この場合、透過部から確認することができる光点の数によって、その時点で大気中に曝露されている捕集部１１がいずれの捕集部１１であるか確認することができる。
【００５６】
また、捕集部１１及び収納部４１，４２の形状は、円筒状に限らない。例えば、断面形状が多角形状の筒形状であってもよい。また、箱体３０の側面の数は、四つに限られず、適宜変更可能である。また、捕集ユニット１０が有する捕集部１１の数は三つに限らず、四つ以上であってもよいし、二つ以下であってもよい。捕集ユニット１０が有する捕集部１１の数が一つである場合、曝露前収納部４１と曝露後収納部４２とは同一であってもよい。すなわち、この場合、収納部は一つであってもよい。また、捕集ユニット１０は、捕集部１１のみを有する構成であってもよい。
【００５７】
また、粒子状物質捕集装置１が設けられるのは、柱状の建造物７０に限らない。粒子状物質捕集装置１は、例えば鉄塔等、通気性のある空間に面することができるあらゆる構造物に設けることができる。また、粒子状物質捕集装置１は、地上に設置されていてもよい。
【符号の説明】
【００５８】
１  粒子状物質捕集装置
１０  捕集ユニット
１１，１１ａ，１１ｂ，１１ｃ  捕集部
１２，１３  区切り部
１４，１５  末端部
２０  筐体
３０  箱体
３１  屋根
３２  開口部
３３  羽板
４１  曝露前収納部（収納部）
４２  曝露後収納部（収納部）
４５ａ，４５ｂ  窓部
５０  駆動部
６０  制御部
【要約】
粒子状物質捕集装置は、大気に含まれる粒子状物質を付着させて捕集する捕集部を有する捕集ユニットと、捕集部を大気中に曝露させる通気部と、捕集部を収納する収納部とが一体に設けられた筐体と、筐体内で捕集ユニットを移動可能に支持して捕集部を通気部と収納部との間で移動可能にする支持部と、捕集ユニットを移動させて捕集部を通気部と収納部との間で移動させる駆動部と、駆動部の動作を制御する制御部と、を備え、捕集ユニットは、少なくとも一部に指標が付され、収納部は、収納している捕集ユニットに付された指標の位置を外部から確認可能な透過部を有する。【図１】
0005981077.tif 000002
【図２】
0005981077.tif 000003
【図３】
0005981077.tif 000004
【図４】
0005981077.tif 000005
【図５】
0005981077.tif 000006
【図６】
0005981077.tif 000007
【図７】
0005981077.tif 000008
【図８】
0005981077.tif 000009
【図９】
0005981077.tif 000010
【図１０】
0005981077.tif 000011
【図１１】
0005981077.tif 000012
【図１２】
0005981077.tif 000013
【図１３】
0005981077.tif 000014